(57)【要約】【課題】タバコの火の粉などが吸い込まれた場合に脱臭フィルタへの侵入を阻止することにより、火種に起因する不具合の発生を防止すること。【解決手段】喫煙によって汚染された空気を脱臭フィルタに通過させて当該空気臭を除去する脱臭カセット１２０において、脱臭フィルタを収納する脱臭フィルタトレイ１２２と、脱臭フィルタトレイ１２２の上流側に配置され、脱臭フィルタへの火種の侵入を阻止する金属ネットを保持する防火ネット１２１と、を備える。【選択図】　　　図３
2004113657.tif 000002
【特許請求の範囲】
【請求項１】
喫煙によって汚染された空気を脱臭フィルタに通過させて当該空気臭を除去する脱臭カセットにおいて、
前記脱臭フィルタを収納する脱臭フィルタトレイと、
前記脱臭フィルタトレイの上流側に配置され、前記脱臭フィルタへの火種の侵入を阻止する金属ネットを保持する防火ネットと、
を備えたことを特徴とする脱臭カセット。
【請求項２】
前記防火ネットは、
前記金属ネットと、
前記金属ネットを押える金属ネット押えと、
前記金属ネットを収容し、前記金属ネット押えの端部を引っ掛ける嵌合穴を有する防火ネットフレームと、
から構成されることを特徴とする請求項１に記載の脱臭カセット。
【請求項３】
前記防火ネットと前記フィルタトレイとを重ね合わせて嵌合させるために用いられる穴およびこの穴に嵌合する曲げ形状のツメを設け、前記ツメを前記穴の真上に配置したことを特徴とする請求項１に記載の脱臭カセット。
【請求項４】
前記フィルタトレイの端部をヘミング曲げ（板金の密着曲げ）で折り返した形状で形成することを特徴とする請求項１に記載の脱臭カセット。
【請求項５】
室内における浮遊粉塵を捕集する空気清浄手段と前記室内の空気臭を除去する脱臭手段とを備えた空気清浄機において、
前記脱臭手段として、前記請求項１〜４の何れか１つに記載の脱臭カセットを用いたことを特徴とする空気清浄機。
【発明の詳細な説明】
【０００１】
【発明の属する技術分野】
本発明は、喫煙によって生じる室内の汚染された空気を吸い込み、脱臭フィルタに導いて吐き出す脱臭機能を実現するために用いられる脱臭カセットおよび空気清浄機に関する。
【０００２】
【従来の技術】
昨今、健康や環境などへの配慮からタバコの喫煙が、分煙や喫煙コーナなど制限されることが多くなってきている。オフィスや一般家庭においては、エアコンデショナーの機能にタバコなどによる空気の臭いを除去する装置が開示されている（たとえば、特許文献１参照）。
【０００３】
一方、喫煙コーナなどにおいて喫煙を行なう場合、喫煙によって汚染された空気を吸入して浮遊粉塵を捕集し、さらにその吸入された空気を活性炭フィルタに通過させることにより臭いを除去するタイプの空気清浄機が設置されることが多い。
【０００４】
このような喫煙対策のための空気清浄機は、たとえば床上据え置き型の喫煙カウンター／喫煙テーブルの形態で構成されている（図１参照）。この空気清浄機は、上部に空気を取り入れる吸い込み口を有し、内部の集塵ユニット、活性炭フィルタを内蔵した脱臭カセットにおいて当該空気を清浄し、清浄機下部の吹き出し口から清浄空気を排出するものである。また、この空気清浄機の天板はテーブル状になっており、小物が置けるようになっている。このため、テーブルスペースに灰皿を置くなどして喫煙用途に利用されている。なお、脱臭フィルタとしては、経済性の面から活性炭フィルタが多用されており、この他に、高価な難燃性のフィルタも存在する。
【０００５】
【特許文献１】
特開平１１−２３０４２号公報
【０００６】
【発明が解決しようとする課題】
しかしながら、上記に示されるような従来の脱臭フィルタによる空気清浄機にあっては、喫煙者が空気清浄機のすぐ近くでタバコを吸い、吸い込み口のすぐ近くに灰皿が置かれるなどによりタバコの吸殻が処理されることが多いため、空気清浄機の吸い込み口へタバコの火の粉が侵入することがある。このため、脱臭カセットの活性炭フィルタに上記火の粉が入ると着火など好ましくない事態が発生することが考えられる。
【０００７】
本発明は、上記に鑑みてなされたものであって、タバコの火の粉などが吸い込まれた場合に脱臭フィルタへの侵入を阻止することにより、火種に起因する不具合の発生を防止することを目的とする。
【０００８】
【課題を解決するための手段】
上記の目的を達成するために、請求項１にかかる脱臭カセットにあっては、喫煙によって汚染された空気を脱臭フィルタに通過させて当該空気臭を除去する脱臭カセットにおいて、前記脱臭フィルタを収納する脱臭フィルタトレイと、前記脱臭フィルタトレイの上流側に配置され、前記脱臭フィルタへの火種の侵入を阻止する金属ネットを保持する防火ネットと、を備えたものである。
【０００９】
この発明によれば、喫煙時に発生する空気を吸い込んで脱臭フィルタを通過させる脱臭カセットにおいて、脱臭フィルタの風上に、脱臭フィルタへの火種の侵入を阻止する金属ネットを保持する防火ネットを設けることにより、タバコなどの火種の脱臭フィルタ（活性炭フィルタ）への侵入を阻止する。
【００１０】
また、請求項２にかかる脱臭カセットにあっては、前記防火ネットは、前記金属ネットと、前記金属ネットを押える金属ネット押えと、前記金属ネットを収容し、前記金属ネット押えの端部を引っ掛ける嵌合穴を有する防火ネットフレームと、から構成されるものである。
【００１１】
この発明によれば、請求項１において、金属ネットを防火ネットフレームと金属ネット押えで挟み込み、金属ネット押えのツメと、防火ネットフレームの穴との嵌め込みによって組立てられる防火ネットを構成することにより、従来の溶接による両者の固定を廃止した組立てが実現する。
【００１２】
また、請求項３にかかる脱臭カセットにあっては、前記防火ネットと前記フィルタトレイとを重ね合わせて嵌合させるために用いられる穴およびこの穴に嵌合する曲げ形状のツメを設け、前記ツメを前記穴の真上に配置したものである。
【００１３】
この発明によれば、請求項１において、防火ネットに設けられたトレイとの嵌合用のツメを、防火ネットフレームの嵌合用穴に真上に配置し、断面が箱状の曲げを行なう際に、この部分だけ曲げ型を逃がすことが可能になる。
【００１４】
また、請求項４にかかる脱臭カセットにあっては、前記フィルタトレイの端部をヘミング曲げ（板金の密着曲げ）で折り返した形状で形成するものである。
【００１５】
この発明によれば、請求項１において、脱臭フィルタトレイの防火ネットに接する端部を、ヘミング曲げによる形状とし、端部を板厚分倍増させることにより、防火ネットと金属ネット押えの間に形成される隙間に脱臭フィルタトレイが入り込むのを防止することが可能になる。
【００１６】
また、請求項５にかかる脱臭カセットにあっては、室内における浮遊粉塵を捕集する空気清浄手段と前記室内の空気臭を除去する脱臭手段とを備えた空気清浄機において、前記脱臭手段として、前記請求項１〜４の何れか１つに記載の脱臭カセットを用いたものである。
【００１７】
この発明によれば、請求項１〜４の何れか１つに記載の脱臭カセットを、空気吸い込み、透過による空気清浄機に用いることにより、タバコなどからの火種を防火ネットで阻止することが可能になる。
【００１８】
【発明の実施の形態】
以下、本発明にかかる脱臭カセットおよび空気清浄機の好適な実施の形態について添付図面を参照し、詳細に説明する。なお、この実施の形態は一例であり、本発明はこの実施の形態に限定されるものではない。
【００１９】
本発明は、喫煙時に発生する空気を吸い込んで脱臭フィルタを通過させる脱臭カセット、およびこの脱臭カセットを用いた空気清浄機において、脱臭フィルタの吸い込み側（風上）に、脱臭フィルタへの火種の侵入を阻止する金属ネットを保持する防火ネットを設けることにより、タバコなどの火種が脱臭フィルタ（活性炭フィルタ）へ侵入するのを阻止し、タバコやマッチなどの火種（火の粉）に起因する不具合の発生を防止するものである。以下、具体的に説明する。
【００２０】
図１は、本発明の実施の形態にかかる脱臭カセットを用いた空気清浄機の構成を示す説明図である。図において、符号１００は喫煙による浮遊粉塵を捕集し、脱臭する空気清浄機であり、上部が喫煙カウンタ／喫煙テーブルとして使用可能な床上据え置き型に構成されている。この空気清浄機１００は、室内の浮遊粉塵を吸い込み捕集する集塵ユニット１１０と、活性炭フィルタを収納し、喫煙による臭いを取り除く脱臭カセット１２０と、脱臭カセット１２０の下方に配置され、この清浄機内に空気を吸い込んで吐き出すための送風ファン１３０と、送風ファン１３０の駆動源であるモーター１４０と、を備えている。なお、符号１０は灰皿である。
【００２１】
すなわち、この空気清浄機１００は、灰皿１０などの小物が載置される天板の中央部を吸い込み口として、その直下に、集塵ユニット１１０、脱臭カセット１２０、送風ファン１３０を設け、中央部分を空気の流路として下部から吹き出すことにより、喫煙などによる室内の浮遊粉塵を捕集し、脱臭する機能を有している。つまり、この空気清浄機１００は、特に喫煙コーナーなどに配置されるのに好適な機能を有している。
【００２２】
つぎに、この発明の特徴の一つである脱臭カセット１２０の構成について図２〜図４を参照し、説明する。図２は、図１における脱臭カセット１２０の組立て状態を示す斜視図である。図３は、図２における脱臭カセット１２０の構成を示す説明図である。図４は、図３における防火ネット１２１の構成を示す説明図である。
【００２３】
図２に示す脱臭カセット１２０は、図３に示すように防火ネット１２１と脱臭フィルタトレイ１２２とで構成され、この防火ネット１２１と脱臭フィルタトレイ１２２とが重ね合わされた状態で組立てられる。さらに、防火ネット１２１は、図４に示すように、防火ネットフレーム１２３と、金属ネット１２４と、金属ネット押え１２５と、で構成され、金属ネット１２４を防火ネットフレーム１２３と金属ネット押え１２５で挟み込む形で組立てられる。また、図４における符号１２６は防火ネットフレーム１２３の縁側に設けられた係合穴、符号１２７は金属ネット押え１２５の縁側に設けられた係合ツメである。
【００２４】
このように、脱臭フィルタを入れる脱臭フィルタトレイ１２２に、金属ネット１２４を固定した防火ネット１２１でフタをすることによって、脱臭カセット１２０が組み立てられる。これにより、空気清浄機１００が動作しているときに、風上（天板側）からの火種の侵入を防止することができる。
【００２５】
すなわち、脱臭フィルタを装着する脱臭カセット１２０に、防火ネット１２１を装備することにより、図１のような構成において、灰皿１０のタバコなどの火種から脱臭フィルタが保護される。さらに、脱臭フィルタへの火の粉などが侵入されなくなるため、フィルタの目詰まりといった不具合の解消も期待することができる。
【００２６】
つぎに、防火ネット１２４の組立て構成について図５、図６を参照して説明する。図５は従来における防火ネットの押え構造を示す説明図であり、図６は本発明の実施の形態にかかる防火ネットの押え構造を示す説明図である。
【００２７】
金属ネット１２４を保持するため、従来における防火ネットの組立てを行なう場合、図５に示すように、防火ネットフレーム１２３と金属ネット押え１２８によって挟み、それらの端部を溶接（アーク溶接、スポット溶接など）によって固定している。
【００２８】
これに対し、本発明は図６に示すように、防火ネット１２１における金属ネット１２４の固定を、防火ネットフレーム１２３と金属ネット押え１２５による挟み込みによって行なう。このとき、金属ネット押え１２５の防火ネットフレーム１２３に対する固定を図４に示す係合ツメ１２７と係合穴１２６とを嵌合させて行なう。すなわち、図６の下部、特にＰの部分に示すように、金属ネット押え１２５を防火ネットフレーム１２３に引っ掛けて行なう。これにより、組み付け工程における作業が簡単になると共に、組み付け作業時間が短縮されるため、作業工賃の低減が実現することによるコストダウンを図ることができる。
【００２９】
したがって、金属ネット１２４を防火ネットフレーム１２３と金属ネット押さえ１２５で挟み込み、金属ネット押さえ１２５の係合ツメ１２７と防火ネットフレーム１２５の係合穴１２６の嵌め込み（引っ掛け）で防火ネット１２１を構成することにより、従来において行なっていたコストの高い溶接による固定を廃止し、安価な防火ネット１２１が実現する。
【００３０】
つぎに、防火ネットフレーム１２３の構成について図７、図８を参照し、説明する。図７において、防火ネット１２１を脱臭フィルタトレイ１２２（図３参照）に固定するための係合ツメ１２７を、防火ネットフレーム１２３に設けられている金属ネット押え１２５を押さえる係合ツメ１２７（図４参照）に嵌合する係合穴１２６にオーバーラップする位置に設けることによって、防水ネットフレーム１２３の係合ツメ１２７の曲げ加工を行なう際に、金型１５０（図８参照）の構成を簡素化することができる。
【００３１】
すなわち、図８に示すように、金属ネット押え１２５が嵌合する防火ネットフレーム１２３の係合穴１２６を、防火ネットフレーム１２５の係合ツメ１２８の曲げ元逃げとする。つまり、防火ネット１２１に設けられたトレイとの係合ツメ１２７を、防火ネットフレーム１２５の係合穴１２６の真上に配置し、Ａ部の曲げ加工を行なう際に、この部分だけ係合穴１２６による曲げが不要であるため、従来は金型を傾斜して曲げ部分に進入させてあてていたが、この実施の形態では曲げ型（金型１５０）を逃がすことができ、加工工程が簡単になる。
【００３２】
つぎに、脱臭フィルタトレイ１２２の引っ掛かり防止の構成について図９を参照し、説明する。図９（ａ）は、脱臭フィルタトレイ１２２の引っ掛かり未対策の状態を示し、（ｂ）は脱臭フィルタトレイ１２２の引っ掛かり対策例を示すものである。
【００３３】
図９（ａ）において、脱臭フィルタトレイ１２２の端部が板厚端面のままであるため、隙間Ｂに入り込み、脱臭フィルタトレイ１２２と防火ネット１２１とが分解できなくなる。そこで、図９（ｂ）に示すように、脱臭フィルタトレイ１２２の端部をヘミング曲げ（密着曲げ）の形状（Ｃ部参照）とすることにより、上記隙間に入ることがなくなり、脱臭フィルタトレイ１２２と防火ネット１２１分解の妨げになるといった不具合が解消される。つまり、スムーズな脱臭フィルタトレイ１２２と防火ネット１２１との着脱が可能になる。
【００３４】
すなわち、脱臭フィルタトレイ１２２の防火ネット１２１に接する端部をヘミング曲げで構成することにより、この部分の板厚が増すため、防火ネットフレーム１２３と金属ネット押え１２５の間の隙間に脱臭フィルタトレイ１２２が誤って入り込むことがなく、さらにスムーズな着脱が行なえる。
【００３５】
【発明の効果】
以上説明したように、本発明にかかる脱臭カセット（請求項１）によれば、喫煙時に発生する空気を吸い込んで脱臭フィルタを通過させる脱臭カセットにおいて、脱臭フィルタの風上に、脱臭フィルタへの火種の侵入を阻止する金属ネットを保持する防火ネットを設けることにより、タバコなどの火種が脱臭フィルタ（活性炭フィルタ）へ侵入するのを阻止するため、タバコやマッチなどの火種（火の粉）に起因する不具合の発生を防止することができる。
【００３６】
また、本発明にかかる脱臭カセット（請求項２）によれば、請求項１において、金属ネットを防火ネットフレームと金属ネット押えで挟み込み、金属ネット押えのツメと、防火ネットフレームの穴との嵌め込みによって組み立てられる防火ネットを構成することにより、従来の溶接による両者の固定を廃止した組立てが実現するため、経済的な防火ネットを提供することができる。
【００３７】
また、本発明にかかる脱臭カセット（請求項３）によれば、請求項１において、防火ネットに設けられたトレイとの嵌合用のツメを、防火ネットフレームの嵌合用穴に真上に配置し、断面が箱状の曲げを行なう際に、この部分だけ曲げ型を逃がすことが可能になるため、型を傾斜するなどの面倒な工程が省かれ、加工工程が簡単になる。
【００３８】
また、本発明にかかる脱臭カセット（請求項４）によれば、請求項１において、脱臭フィルタトレイの防火ネットに接する端部を、ヘミング曲げによる形状とし、端部を板厚分倍増させることにより、防火ネットと金属ネット押えの間に形成される隙間に脱臭フィルタトレイが入り込むのを防止することが可能になるため、両者をスムーズに着脱することができる。
【００３９】
また、本発明にかかる空気清浄機（請求項５）によれば、請求項１〜４の何れか１つに記載の脱臭カセットを、空気吸い込み、透過による空気清浄機に用いることにより、タバコなどからの火種を防火ネットで阻止するため、タバコやマッチなどの火種（火の粉）に起因する不具合の発生を防止することができる。
【図面の簡単な説明】
【図１】本発明の実施の形態にかかる脱臭カセットを適用した空気清浄機の構成を示す説明図である。
【図２】
本発明の実施の形態にかかる脱臭カセットの組立て後の状態を示す説明図であ
る。
【図３】
図２における脱臭カセットを構成する防火ネットおよび脱臭フィルタトレイの
構成を示す説明図である。
【図４】
図３における防火ネットの構成部品を示す説明図である。
【図５】
防火ネットの従来の組立て（固定）例を示す説明図である。
【図６】
本発明の実施の形態にかかる防火ネットの組立ての様子を示す説明図である。
【図７】
本発明の実施の形態にかかる防火ネットの係合穴、係合ツメの位置状態を示す
説明図である。
【図８】
図７における防火ネットの係合穴、係合ツメの形状および加工状態を示す拡大
図である。
【図９】
脱臭フィルタトレイの引っ掛かり防止例を示す説明図であり、（ａ）は、脱臭
フィルタトレイの引っ掛かり未対策の状態、（ｂ）は脱臭フィルタトレイの引っ
掛かり対策例を示すものである。
【符号の説明】
１００　空気清浄機
１１０　集塵ユニット
１２０　脱臭カセット
１２１　防火ネット
１２２　脱臭フィルタトレイ
１２３　防火ネットフレーム
１２４　金属ネット
１２５　金属ネット押え
１２６　係合穴
１２７　係合ツメ
１３０　送風ファン
【図１】
2004113657.tif 000003
【図２】
2004113657.tif 000004
【図３】
2004113657.tif 000005
【図４】
2004113657.tif 000006
【図５】
2004113657.tif 000007
【図６】
2004113657.tif 000008
【図７】
2004113657.tif 000009
【図８】
2004113657.tif 000010
【図９】
2004113657.tif 000011